(57)【要約】      （修正有）【課題】効率のよい広告活動を行うことが可能となるシステム等を提供する。【解決手段】広告を表示する広告表示装置であって、前記広告表示装置は情報を入力するための入力装置から情報を受信する。前記広告表示装置は、動画データ又は音声データを含む再生データとその再生データにおいて表現されるシーンに対応する広告の詳細情報とその詳細情報に誘導するための広告キーワードとを関連づけたキーワードレコードを記憶している。前記広告表示装置は、再生データを再生し、あるシーンが再生されている際にはそのシーンに対応する前記広告キーワードを表示する。表示した前記広告キーワードが視聴者によって選択されるとその前記広告キーワードに対応する前記詳細情報を表示する。【選択図】図３
2007171255.tif 000002
【特許請求の範囲】
【請求項１】
情報を入力するための入力装置から情報を受信する広告表示装置により実現される方法であり、
前記広告表示装置が、動画データ又は音声データを含む再生データとその再生データにおいて表現される表現内容に対応する広告の詳細情報とその詳細情報に誘導するための広告キーワードとを関連づけたキーワードレコードを記憶する第１記憶ステップ、前記再生データを再生する再生ステップ、前記表現内容が再生されている際にその表現内容に対応する前記広告キーワードを表示する広告キーワード表示ステップ、表示した前記広告キーワードの選択を前記入力装置から受信する選択キーワード受信ステップ、選択された前記広告キーワードに対応する前記詳細情報を表示する詳細情報表示ステップを行うことを特徴とする広告表示方法。
【請求項２】
前記キーワードレコードには前記表現内容に対応する表現内容キーワードが含まれ、前記表現内容キーワードは前記表現内容と前記広告キーワードとに関連づけられて前記第１記憶手段に記憶されていることを特徴とする請求項１記載の広告表示方法。
【請求項３】
前記広告表示装置が、前記詳細情報を表示する際は前記再生データの再生を一次的に停止する再生停止ステップを行うことを特徴とする請求項１乃至２記載の広告表示方法。
【請求項４】
前記広告表示装置が、選択された前記広告キーワードを記憶する第２記憶ステップを行い、前記詳細情報表示ステップは前記第２記憶手段に記憶された広告キーワードに対応する前記詳細情報を前記再生データの再生後に表示するステップであること特徴とする請求項１乃至２記載の広告表示方法。
【請求項５】
前記第１記憶手段に記憶される前記詳細情報の内容は、前記再生データの再生が開始される際又は前記表現内容の再生が開始される際に確定するものであること特徴とする請求項１乃至４記載の広告表示方法。
【請求項６】
前記第１記憶手段に記憶される前記広告キーワードの内容は、前記再生データの再生が開始される際又は前記表現内容の再生が開始される際に確定するものであること特徴とする請求項１乃至５記載の広告表示方法。
【請求項７】
前記表現内容キーワードにはその表現内容キーワードの選択回数が関連づけられて記憶されており、
前記広告表示装置は、前記入力装置から前記表現内容キーワードの選択を受信し前記選択回数を集計する選択回数集計ステップ、前記選択回数が多い前記表現内容キーワードに対応する前記広告キーワードを優先的に表示する優先表示ステップを備えること特徴とする請求項１乃至６記載の広告表示方法。
【請求項８】
情報を入力するための入力装置から情報を受信する広告表示装置を、動画データ又は音声データを含む再生データとその再生データにおいて表現される表現内容に対応する広告の詳細情報とその詳細情報に誘導するための広告キーワードとを関連づけたキーワードレコードを記憶する第１記憶手段、前記再生データを再生する再生手段、前記表現内容が再生されている際にその表現内容に対応する前記広告キーワードを表示する広告キーワード表示手段、表示した前記広告キーワードの選択を前記入力装置から受信する選択キーワード受信手段、選択された前記広告キーワードに対応する前記詳細情報を表示する詳細情報表示手段として機能させることを特徴とする広告表示のためのコンピュータプログラム。
【請求項９】
前記キーワードレコードには前記表現内容に対応する表現内容キーワードが含まれ、前記表現内容キーワードは前記表現内容と前記広告キーワードとに関連づけられて前記第１記憶手段に記憶されていることを特徴とする請求項８記載の広告表示のためのコンピュータプログラム。
【請求項１０】
前記広告装置を、前記詳細情報を表示する際は前記再生データの再生を一次的に停止する再生停止手段として機能させることを特徴とする請求項８乃至９記載の広告表示のためのコンピュータプログラム。
【請求項１１】
前記広告装置を、選択された前記広告キーワードを記憶する第２記憶手段として機能させ、前記詳細情報表示手段は前記第２記憶手段に記憶された広告キーワードに対応する前記詳細情報を前記再生データの再生後に表示する手段であること特徴とする請求項８乃至９記載の広告表示のためのコンピュータプログラム。
【請求項１２】
前記第１記憶手段に記憶される前記詳細情報の内容は、前記再生データの再生が開始される際又は前記表現内容の再生が開始される際に確定するものであること特徴とする請求項８乃至１１記載の広告表示のためのコンピュータプログラム。
【請求項１３】
前記第１記憶手段に記憶される前記広告キーワードの内容は、前記再生データの再生が開始される際又は前記表現内容の再生が開始される際に確定するものであること特徴とする請求項８乃至１２記載の広告表示のためのコンピュータプログラム。
【請求項１４】
前記表現内容キーワードにはその表現内容キーワードの選択回数が関連づけられて記憶されており、
前記広告表示装置を、前記入力装置から前記表現内容キーワードの選択を受信し前記選択回数を集計する選択回数集計手段、前記選択回数が多い前記表現内容キーワードに対応する前記広告キーワードを優先的に表示する優先表示手段として機能させること特徴とする請求項８乃至１３記載の広告表示のためのコンピュータプログラム。
【請求項１５】
情報を入力するための入力装置から情報を受信する広告表示装置であり、
動画データ又は音声データを含む再生データとその再生データにおいて表現される表現内容に対応する広告の詳細情報とその詳細情報に誘導するための広告キーワードとを関連づけたキーワードレコードを記憶する第１記憶手段、前記再生データを再生する再生手段、前記表現内容が再生されている際にその表現内容に対応する前記広告キーワードを表示する広告キーワード表示手段、表示した前記広告キーワードの選択を前記入力装置から受信する選択キーワード受信手段、選択された前記広告キーワードに対応する前記詳細情報を表示する詳細情報表示手段を備えることを特徴とする広告表示装置。
【請求項１６】
前記キーワードレコードには前記表現内容に対応する表現内容キーワードが含まれ、前記表現内容キーワードは前記表現内容と前記広告キーワードとに関連づけられて前記第１記憶手段に記憶されていることを特徴とする請求項１５記載の広告表示装置。
【請求項１７】
前記詳細情報を表示する際は前記再生データの再生を一次的に停止する再生停止手段が備えられていることを特徴とする請求項１５乃至１６記載の広告表示装置。
【請求項１８】
選択された前記広告キーワードを記憶する第２記憶手段を備え、前記詳細情報表示手段は前記第２記憶手段に記憶された広告キーワードに対応する前記詳細情報を前記再生データの再生後に表示する手段であること特徴とする請求項１５乃至１６記載の広告表示装置。
【請求項１９】
前記第１記憶手段に記憶される前記詳細情報の内容は、前記再生データの再生が開始される際又は前記表現内容の再生が開始される際に確定するものであること特徴とする請求項１５乃至１８記載の広告表示装置。
【請求項２０】
前記第１記憶手段に記憶される前記広告キーワードの内容は、前記再生データの再生が開始される際又は前記表現内容の再生が開始される際に確定するものであること特徴とする請求項１５乃至１９記載の広告表示装置。
【請求項２１】
前記表現内容キーワードにはその表現内容キーワードの選択回数が関連づけられて記憶されており、
前記広告表示装置は、前記入力装置から前記表現内容キーワードの選択を受信し前記選択回数を集計する選択回数集計手段、前記選択回数が多い前記表現内容キーワードに対応する前記広告キーワードを優先的に表示する優先表示手段を備えること特徴とする請求項１５乃至２０記載の広告表示装置。
【発明の詳細な説明】
【技術分野】
【０００１】
本発明は、テレビやパソコンの画面上に宣伝効果の高い広告を表示するシステム等に関するものである。
【背景技術】
【０００２】
現在、広告業界ではテレビやインターネットを利用して様々な広告活動が行われている。例えば、インターネットを利用した広告としてはバナー広告などがその代表例である。
また、テレビ業界では古くからテレビＣＭを利用した広告活動が主流を占めている。
なお、以下の文献にはバナー広告に関する技術が掲載されている。
【０００３】
【特許文献１】特開２００２−３７３２８４
【発明の開示】
【発明が解決しようとする課題】
【０００４】
しかし、バナー広告は必ずしも顧客のニーズに合った広告を提供できるとは限らず、その広告の効果は期待外れに終わっているのが現状である。
また、テレビＣＭにおいては更に深刻な問題が生じている。即ち、近年のビデオ機器の高性能化に伴いテレビＣＭを自動的にカットする技術が開発されており、視聴者にテレビＣＭを観てもらえないという深刻な問題点が出始めている。
このように従来の広告活動では宣伝効果を高くすることは困難な時代になっている。
そこで、新しい広告の仕組みやそれを実現する装置等が求められるところである。
【課題を解決するための手段】
【０００５】
本発明は、例えば、次のような手段を備える装置（システム）、コンピュータが次のような処理（ステップ）を行う方法、コンピュータを次のように機能させるコンピュータプログラムである。
（１）  情報を入力するための入力装置から情報を受信する広告表示装置であり、
動画データ又は音声データを含む再生データとその再生データにおいて表現される表現内容に対応する広告の詳細情報とその詳細情報に誘導するための広告キーワードとを関連づけたキーワードレコードを記憶する第１記憶手段、前記再生データを再生する再生手段、前記表現内容が再生されている際にその表現内容に対応する前記広告キーワードを表示する広告キーワード表示手段、表示した前記広告キーワードの選択を前記入力装置から受信する選択キーワード受信手段、選択された前記広告キーワードに対応する前記詳細情報を表示する詳細情報表示手段を備える。
（２）  前記キーワードレコードには前記表現内容に対応する表現内容キーワードが含まれ、前記表現内容キーワードは前記表現内容と前記広告キーワードとに関連づけられて前記第１記憶手段に記憶されている。
（３）  前記詳細情報を表示する際は前記再生データの再生を一次的に停止する再生停止手段が備えられている。
（４）  選択された前記広告キーワードを記憶する第２記憶手段を備え、前記詳細情報表示手段は前記第２記憶手段に記憶された広告キーワードに対応する前記詳細情報を前記再生データの再生後に表示する手段である。
（５）  前記第１記憶手段に記憶される前記詳細情報の内容は、前記再生データの再生が開始される際又は前記表現内容の再生が開始される際に確定するものである。
（６）  前記第１記憶手段に記憶される前記広告キーワードの内容は、前記再生データの再生が開始される際又は前記表現内容の再生が開始される際に確定するものである。
（７）  前記表現内容キーワードにはその表現内容キーワードの選択回数が関連づけられて記憶されており、
前記広告表示装置は、前記入力装置から前記表現内容キーワードの選択を受信し前記選択回数を集計する選択回数集計手段、前記選択回数が多い前記表現内容キーワードに対応する前記広告キーワードを優先的に表示する優先表示手段を備える。
【発明の効果】
【０００６】
本発明には次のような効果がある。
（１）本発明を利用すれば、非常に効率のよい広告活動を行うことができる。即ち、動画の内容に即した広告をすることができるので、視聴者が興味を持った商品について広告をすることができ、非常に効率のよい広告活動が可能になるのである。
（２）視聴者が自主的に広告を選択するので、視聴者が本当に必要とする広告を提供することができる。これにより更に効率のよい広告活動が行えるのである。
（３）広告を表示する際、再生を一時停止すれば、広告を観ているうちに動画の内容が進んでしまい動画の内容がわからなくなるという不都合を回避することができる。
（４）動画の再生がすべて終了した後に、選択された広告を順次表示すれば、動画を十分楽しんだ後に広告を観ることができる。即ち、広告を表示するたびに動画が一時停止されてしまい、動画を十分に楽しむことができないという不都合を回避できる。
（５）本発明は、シーンキーワードや詳細情報を動画の再生時にダウンロードするので、動画再生の時点で最も新しい広告を表示することができる。即ち、広告の詳細情報を動画再生直前であっても入れ替えることができる。
（６）本発明は、顧客のニーズに応じてシーンキーワードを変化させることができるので、より適切且つ宣伝効果の高い広告活動を行うことができる。
【発明を実施するための最良の形態】
【０００７】
本発明は、テレビやパソコンの画面上に宣伝効果の高い広告を表示するシステム等に関するものである。以下、図面に基づいて説明する。
【実施例１】
【０００８】
本発明の第一実施例を図に基づいて説明する。
図１は本発明の実施に必要なハードウェアとそのハードウェアの結びつきを表した概略図である。
これらハードウェアは、動画再生やその他の様々な処理を行うコンピュータ（ＰＣ１）とＰＣ１に接続された表示装置（表示モニタ２）、広告提供会社が利用するサーバー４とからなる。また、コントローラ３はいわゆるテレビのリモコンなどに相当するものであり、ＰＣ１に対し様々な命令信号を送信し、ＰＣ１はその信号を受信するものである。
各装置（ＰＣ１、サーバー４）にはデータの送受信を可能にするためのデータ送信部および受信部が備えられており、これにより各装置同士はインターネット１１（或いは、その他の通信手段）を介してデータの送受信が可能になっている。また、データを受信した各装置はそれを必ず記憶装置に記憶するものとする。
【０００９】
各装置には情報を処理する処理装置、情報を記憶する記憶装置が備えられている。
各装置の記憶装置には本発明を実現するためのコンピュータプログラムや所定のデータが記憶されており、各装置の処理装置はこのコンピュータプログラムの処理命令に従って所定の処理を行う。なお、ここではＰＣ１が広告表示装置としての役割を果たし、コントローラ３が入力装置としての役割を果たし、ＰＣ１の記憶装置が第１記憶手段としての役割を果たす。
【００１０】
次に、本発明の概要について説明する。本発明の概要は次の通りである。
（１）動画データ（例えば「映画」）と、その映画のシーンに対応するシーンキーワードを図２のように予め設定しておく。
（２）その映画を再生する際、映画と共に、その映画のシーンに連動した広告キーワード（広告内容を一言で表した語）を映画とともに図３のように表示する。
（３）図３に表示された広告キーワードのうち、視聴者が興味を示した広告キーワード（例えば、「加速性能抜群／Ａ００１」）を選択すると、その広告の詳細情報が図４のように表示される。
これにより、映画のシーンに合った広告（視聴者が興味を示すと思われる商品の広告）を表示することができ、宣伝効果の高い広告活動を実現できるのである。
本発明の概要は以上である。
【００１１】
次に、サーバー４に記憶された様々なデータについて説明する。
サーバー４には映画などの動画データ（再生データ／図示せず）と、その動画データに連動したキーワードレコード（図２）と、広告の詳細情報（図５）が各々関連づけて記憶されている。
例えば、サーバー４には「スピードチェイス」という映画が記憶されているとする。このスピードチェイスという映画には図２の表すように「カーチェイスシーン」と、主人公がオフィスでコンピュータを操作する「ＰＣ操作シーン」と、主人公の恋人がシャワーを浴びる「入浴シーン」とが含まれているものとする。
このうち「カーチェイスシーン」では主人公が運転する最新のスポーツカーが登場するのものであり、更にはこのシーンは映画開始から５分後に開始され７分後に終了するものである。よって、このシーン（映画開始から５分−７分）において乗用車やタイヤの広告を表示すればその宣伝効果は高いものとなる。そこで、キーワードレコード（図２）においてはシーンキーワード（表現内容キーワード）「乗用車」「タイヤ」、シーン開始時「０５：００」、シーン終了時「０７：００」となっているのである。また、シーンキーワード「乗用車」「タイヤ」と広告番号「Ａ００１、Ａ００２」、「Ａ００３、Ａ００４」と広告キーワード（広告の詳細情報に誘導するための広告キーワード）「加速性能抜群」「Ｔ社の新車」「燃費向上」「スリップを強力に防止」とが関連づけられている。更に、広告番号にはその広告の詳細情報が各々関連づけられて記憶されており、例えば広告番号Ａ００１には図５のような広告の詳細情報が関連づけられている。
【００１２】
次に、本発明が実現されるまでの処理について説明する。
動画配信会社Ａは、数多くの映画（動画）を配信している。また、顧客Ｂはこの会社Ａの会員になっているものとする。
顧客ＢはＰＣ１を利用して映画を観ようと思い、会社Ａが提供するウエブページにアクセスした。これにより図６のような内容がモニタ２に表示された。
顧客Ｂはスピードチェイスという映画を観ようと思い、コントローラ３を使ってスピードチェイスが表されている右欄の「ダウンロード」を選択した。これによりＰＣ１は選択動画番号「００１」（図示せず）を作成し、これをサーバー４に送信する。
【００１３】
これを受信したサーバー４は、動画番号「００１」に該当するスピードチェイスの動画データを記憶装置から検索し、それをＰＣ１に送信する。
動画データを受信・記憶したＰＣ１は、次に、動画データ（スピードチェイス）の再生を行うための画面を図７のように表示する。顧客Ｂが図７の「再生」をクリック（選択）するとＰＣ１はスピードチェイスの動画再生を開始するための準備として、図８のような再生通知情報「再生動画番号：００１」を作成し、これをサーバー４に送信する。
再生通知情報「再生動画番号：００１」を受信したサーバー４は、動画番号「００１」に該当するキーワードデータ（図２）を検索してこれをＰＣ１に送信する。なお、この際、サーバー４は記憶装置に記憶されている全ての詳細情報（例えば、図５）も併せてＰＣ１に送信する。
キーワードデータ及び詳細情報を受信・記憶したＰＣ１はスピードチェイスの動画を再生する。なお、ＰＣ１は映画の再生開始から何分・何秒経過したかを再生中に常に確認するものとする。また、この処理を行うＰＣ１が再生手段としての役割を果たす。
ＰＣ１は映画の再生時間とキーワードレコードのシーン開始時・終了時とを毎秒ごとに比較し、再生時間がシーン開始時とシーン終了時との間にある場合（例えば、再生時間が５分−７分にある場合）は次の処理を行う。
（１）ＰＣ１はまず、キーワードデータ（図２）を参照してカーチェイスシーンに関連づけられている２つの広告キーワード「乗用車」「タイヤ」のうちどちらを優先的に表示するかを判断する。ここでは各々の広告キーワードに関連づけられているキーワード選択回数（図２）が多い方を優先するものとする。なお、このキーワード選択回数の意味については後述する。
（２）次にＰＣ１はシーンキーワードと広告キーワードと広告番号を図３のように表示する。即ち、表示モニタ２にはシーンキーワード「乗用車」と広告キーワード「加速性能抜群」「Ｔ社の新車」とその広告番号が表示される（図３右欄）。なお、図３の左欄は再生中の映画を表したものである。また、この処理を行うＰＣ１が広告キーワード表示手段、優先表示手段としての役割を果たす。
【００１４】
映画を観ていた顧客Ｂは「加速性能抜群」という広告キーワードを観てこれに興味を示したとする。顧客Ｂはコントローラ３を利用して広告番号Ａ００１を選択する。これによりＰＣ１は広告の詳細を要求するための要求情報（選択キーワード）「選択広告：Ａ００１」（図９）を作成し、これに基づいて詳細情報を検索する。これにより図５の詳細情報が抽出される。なお、この処理を行うＰＣ１が選択キーワード受信手段としての役割を果たす。
次に、ＰＣ１は動画再生を一旦停止して図５の内容（詳細情報）を表示モニタ２に表示する（図４）。なお、この処理を行うＰＣ１が詳細情報表示手段としての役割を果たす。
このように動画のシーンに連動した広告を表示すれば視聴者が興味を示すであろう商品の広告をすることができるので、非常に宣伝効果の高い広告活動を行うことができる。また、詳細情報を表示しているときは動画再生を一時停止（例えば、３０秒停止）するので、詳細情報をみている間に動画再生が進んでしまい、映画の内容がわからなくなってしまうという不都合を回避できる。なお、ここで詳細情報を表示した広告はその表示回数がサーバー４により集計されるものであり、サーバー４はその表示回数に表示単価を乗じた金額を広告依頼人に請求するものとする。また、この表示単価は各広告依頼人から入札形式で決めるようにしてもよい。なお、この処理を行うＰＣ１が再生停止手段としての役割を果たす。
【００１５】
なお、本発明を次のようにしてもよい。
（１）上記実施例では、詳細情報を表示する際に動画再生を一時停止していたが、一時停止をせずに動画再生が最後まで終了した後で詳細情報を表示してもよい。即ち、「Ａ００１」の詳細情報が選択されたら図１０（ａ）→（ｂ）のように「Ａ００１」を記憶し、「Ｃ００２」の詳細情報が選択されたら図１０（ｂ）→（ｃ）のように「Ｃ００２」を記憶してゆく。そして、再生終了後に図１０（ｃ）のように記憶・蓄積された詳細情報を順次表示する。このようにすれば再生を停止することなく動画を最後まで楽しんだ後に詳細情報を観ることができる。なお、図１０の選択広告データを記憶するＰＣ１の記憶装置が第２記憶手段としての役割を果たす。
【００１６】
（２）表示する広告キーワードを顧客のニーズに応じて変化させてもよい。即ち、上記例では表示するシーンキーワードを乗用車とし、これに対応する広告を表示していたが、多くの顧客がタイヤの広告に興味を示した場合は自動的にタイヤに関する広告を表示するように変化させてもよい。以下、これを実現するための処理について説明する。
図２のキーワードデータのカーチェイスシーンにはシーンキーワードとして「乗用車」と「タイヤ」と各々のキーワード選択回数とが関連づけられている。乗用車のキーワード選択回数は「１」であり、タイヤのキーワード選択回数は「０」である。これは広告提供者が最初に設定した値であり、前述の通り、カーチェイスシーンではキーワード選択回数の多い乗用車の広告が優先的に表示され、タイヤについてはその他のキーワードとして下段に表示されるだけである（図３）。
映画スピードチェイスの動画再生を観ていた顧客Ｂは、今のところ乗用車には興味がなく、タイヤの方に興味があったとする。この場合、顧客Ｂはコントローラ３を利用して図３の「その他のキーワード」の＜タイヤ＞を選択する。これにより、ＰＣ１は図１１のように優先的にタイヤに関する広告を表示し、乗用車は下段に「その他のキーワード」として表示する。
【００１７】
更に、ＰＣ１は図１２のようなキーワード選択情報を作成し、サーバー４に送信する。これを受信したサーバー４は、動画番号００１に該当するキーワードデータを検索し、シーンキーワード「タイヤ」の選択回数を加算・集計する（図１３）。このようにすれば選択回数の多いシーンキーワードに関する広告を優先的に表示することができ、顧客Ｂの次にスピードチェイスをダウンロードして再生する顧客（例えば、顧客Ｃ）に対しより宣伝効率のよい広告活動を実現できる。なお、本実施例では顧客Ｂがタイヤを選択した時点では乗用車とタイヤのキーワード選択回数は共に「１」で同数であるが、この場合は乗用車が優先的に表示されるものとし、他の顧客（例えば、顧客Ｃ）が更にもう一度タイヤを選択した時点でタイヤの選択回数が乗用車の選択回数が上回り、タイヤの広告が優先的に表示されるものとする。また、この処理を行うＰＣ１が選択回数集計手段としての役割を果たす。
【００１８】
（３）上記実施例では、サーバー４に動画が再生されたことを知らせて、その時点で（動画が再生された時点で）広告キーワードと詳細情報をＰＣ１にダウンロードしているが、これを各シーンの再生が開始された時点でダウンロードしてもよい。以下、そのための処理について説明する。
例えば、図２のキーワードデータを参照すればカーチェイスシーンが動画再生開始から５分後に開始されることが判明する。よって、ＰＣ１はキーワードデータを参照して、動画再生から５分経過時点（或いは、５分より少し早い時点）に図１４のようなシーン開始通知データをサーバー４に送信する。そして、サーバー４はシーン開始データの動画番号とシーン名とに基づいて広告キーワードと広告番号を検索し、その広告キーワードをＰＣ１に送信する。
広告キーワードを受信したＰＣ１はそれを記憶し図３のように広告キーワードと広告番号を表示する。
そして、コントローラ３により広告キーワードと広告番号（例えば、Ａ００１）の選択が行われたら、その広告番号をサーバー４に送信する。
そして、それを受信したサーバー４は、受信した広告番号に基づいて該当する詳細情報を検索し、それをＰＣ１に送信する。そして、それを受信したＰＣ１は受信した詳細情報を図４のように表示するのである。
このようにすれば、詳細情報や広告キーワードはそのシーン（表現内容）が再生される際に確定することになるので、より最新の広告キーワードや詳細情報を顧客に提供することができ、より効率のよい宣伝活動が行えるのである。
【００１９】
上記実施例おいては特定のケースについて説明したが、本発明はこれら特定のケースに限るものではない。例えば、次のようなケースであっても構わない。
（１）上記実施例では、動画配信を例に説明したが、本発明はこれに限るものではない。例えば、音声データの配信などにも利用できるものである。また、上記実施例では動画データをダウンロードしてから再生するケースについて説明したが、本発明はストリーミング形式で再生する場合など様々な動画再生形式・音声再生形式においても利用できるものである。
（２）データの内容は実施例で説明したデータに限らない。即ち、同様の役割を果たすことができれば、他のどのようなデータであっても構わない。例えば、広告番号を図１５のようにウェブページのアドレス（ＵＲＬ）にしてもよい。また、再生データは動画データでなく音声データであってもよい。更に、動画データとは音声を含んだデータであってもよいし、音声を含まないデータであってもよい。
（３）ハードウェアも実施例で説明したものに限らない。即ち、同様の役割を果たすことができれば、他のどのようなハードウェアであっても構わない。例えば、本発明では動画再生をコンピュータで行っているがこれをセットトップボックスと呼ばれる装置を備えたテレビ受信機で行ってもよい。
（４）処理の内容や手順についても実施例で説明したものに限らない。即ち、同様の役割を果たすことができれば、他のどのような処理内容・処理手順であっても構わない。
（５）上記実施例に登場するデータ（データレコード、ファイル）のデータ（データ項目）は、原則として各々関連づけられて（対応づけられて）記憶装置に記憶されているものとする。図面に表されたものについても同様である。
【図面の簡単な説明】
【００２０】
【図１】本発明で利用するハードウェアの概略を示す図である。
【図２】キーワードデータを表した図である。
【図３】広告キーワードの表示内容を表した図である。
【図４】広告の詳細情報の表示内容を表した図である。
【図５】詳細情報を表した図である。
【図６】動画選択画面を表した図である。
【図７】動画再生画面を表した図である。
【図８】再生通知情報を表した図である。
【図９】要求情報を表した図である。
【図１０】選択広告データを表した図である。
【図１１】広告キーワードの表示内容を表した図である。
【図１２】キーワード選択情報を表した図である。
【図１３】キーワードデータを表した図である。
【図１４】シーン開始通知データを表した図である。
【図１５】キーワードデータを表した図である。
【図１】
2007171255.tif 000003
【図２】
2007171255.tif 000004
【図３】
2007171255.tif 000005
【図４】
2007171255.tif 000006
【図５】
2007171255.tif 000007
【図６】
2007171255.tif 000008
【図７】
2007171255.tif 000009
【図８】
2007171255.tif 000010
【図９】
2007171255.tif 000011
【図１０】
2007171255.tif 000012
【図１１】
2007171255.tif 000013
【図１２】
2007171255.tif 000014
【図１３】
2007171255.tif 000015
【図１４】
2007171255.tif 000016
【図１５】
2007171255.tif 000017